(57)【特許請求の範囲】
【請求項１】
略Ｕ字状に形成される把手の両端に、汚れ落しを行う一対の洗浄部材がそれぞれ取付けられ、有底筒状の容器に、その開口部から少なくとも一方の洗浄部材が挿入されることで該容器の内壁面から底面の洗浄を可能とし、または一対の洗浄部材で容器の筒部を内外両面から挟み込んで、同時に洗浄可能とするようにした洗浄具において、
前記把手は、Ｕ字の基端部側で分割可能な相互に等しい形状の一対の把手部材から構成されており、
各把手部材は、
帯状体によって、前記帯の厚み方向から見て、略Ｊ字状に形成されて成り、前記Ｊ字の直線部の延長に前記洗浄部材が取付けられ、前記Ｕ字を分断したＪ字の屈曲部の先端部が、他方の把手部材と突き合わせられて、該先端部付近を中心として一対のＪ字の把手部材が相互に開閉可能となる基体部と、
前記基体部の内周面において、帯の幅方向の中心線の一方側で、前記Ｊ字の直線部から屈曲部の先端を超えて、他方の把手部材側に延設されるリブと、
前記リブにおいて、前記Ｊ字の屈曲部から突出した部分で、該屈曲部の先端部の近傍に、外周側から半円弧状に切欠かれて形成される切欠きと、
前記基体部におけるＪ字の屈曲部の内周面において、前記屈曲部の先端部の近傍で、前記切り欠きに対応した位置に設けられる半円弧状の突起と、
前記基体部の内周面において、前記中心線の他方側で、前記リブから、該リブの厚みだけ隔てて配置され、把手部材同士を前記Ｕ字に組合わせた状態で、他方の把手部材側のリブを挟み込む第１の係止突起とを含むことを特徴とする洗浄具。
【請求項２】
前記リブは環状に形成されることを特徴とする請求項１記載の洗浄具。
【請求項３】
前記第１の係止突起は、前記Ｊ字の直線部と屈曲部との少なくとも２箇所設けられることを特徴とする請求項２記載の洗浄具。
【請求項４】
前記環状のリブにおいて、他方の把手部材に対向する中心線側の面には、相互に嵌り合うことで前記一対の把手部材の拡開を防止する第２の係止突起と係止凹所との対が設けられていることを特徴とする請求項２または３記載の洗浄具。
【請求項５】
前記リブにおいて、前記中心線の一方側から該リブ上に前記第１の係止突起を投影した状態で、該第１の係止突起の陰になる部分には、対応する孔が形成されていることを特徴とする請求項１〜４の何れか１項に記載の洗浄具。
【請求項６】
前記Ｕ字状の把手の両端に貼付けられる洗浄部材は、前記Ｕ字の内側と外側とで、相互に密度の違うスポンジであることを特徴とする請求項１〜５の何れか１項に記載の洗浄具。
【請求項７】
前記把手の両端には、クッション部材としての密度の低いスポンジが貼付けられ、その上に、前記汚れ落しを行う密度の高いスポンジが貼付けられていることを特徴とする請求項６記載の洗浄具。
【発明の詳細な説明】
【技術分野】
【０００１】
本発明は、ジョッキやマグカップなどの有底筒状の容器を洗浄するために好適に用いられ、筒の内外両面を同時に洗浄可能な略Ｕ字状に形成される洗浄具に関する。
【背景技術】
【０００２】
上記のジョッキやマグカップは、底が深いものの、比較的均一な円筒に形成されるので、特に業務用途などでは、単純な柄付きたわしやスポンジを使用するよりも、特許文献１のような略Ｕ字状のたわしやスポンジを使用することで、上記のように内外両面が一度に洗浄できて、洗浄効率を非常に高めることができ、好適である。
【０００３】
しかしながら、特許文献１は、略Ｕ字状に形成される把手の両端に、汚れ落しを行う一対の洗浄部材としてのブラシがそれぞれ取付けられているだけである。したがって、たとえばジョッキやマグカップの底にこびり付いた汚れを落す場合に、片側のブラシだけを使用しようとしても、ブラシを分離することはできない。
【０００４】
そこで、このような問題を解決するようにした従来技術の洗浄具として、株式会社まめいた社製の「弁当箱クリーナー」が挙げられる。その全体斜視図を図７に示す。この洗浄具１０１は、大略Ｕ字状に形成される把手１０２の両端に、汚れ落しを行う一対の洗浄部材１０３，１０４がそれぞれ取付けられて構成される。この洗浄具１０１では、洗浄部材１０３，１０４は、２層のスポンジである。
【０００５】
この洗浄具１０１で注目すべきは、前記Ｕ字状の該洗浄具１０１が、中央の屈曲部１０１１において、２つのＪ字状の洗浄具１０５，１０６に分離して使用可能となっていることである。したがって、前記Ｕ字状の把手１０２は、Ｊ字状の把手部材１０７，１０８に分割可能となっている。
【０００６】
その分割を可能にする構造を図８および図９の拡大した分解斜視図を用いて説明する。把手部材１０７，１０８は、帯状体が、その帯の厚み方向から見て、略Ｊ字状に形成されて成り、前記Ｊ字の直線部１０７１，１０８１の延長に前記洗浄部材１０３，１０４が取付けられ、Ｊ字の屈曲部１０７２，１０８２の先端部１０７３，１０８３が、他方の把手部材１０８，１０７と突き合わせられて、該先端部１０７３，１０８３付近を中心として、一対のＪ字の把手部材１０７，１０８が相互に開閉可能となっている。
【０００７】
把手部材１０７，１０８は、相互に等しい形状に形成され、前記先端部１０７３，１０８３付近には、外方に延びる、２枚のブラケット１０７４，１０７５；１０８４，１０８５が立設されている。前記帯状の把手部材１０７，１０８を幅方向に４等分した厚さに、前記ブラケット１０７４，１０７５；１０８４，１０８５は形成され、一端側にブラケット１０７４，１０８４が立設され、他方のブラケット１０８５の厚み分の間隔を開けて、もう１枚のブラケット１０７５，１０８５が立設されている。そして、ブラケット１０７４，１０８４には、前記帯の幅方向に延びるボス１０７６，１０８６が立設されており、ブラケット１０７５，１０８５には、そのボス１０７６，１０８６が嵌り込むＵ字のスリット１０７７，１０８７が形成されている。ボス１０７６，１０８６の高さは、嵌り込むブラケット１０７５，１０８５の厚み以下に形成される。
【０００８】
したがって、このボス１０７６，１０８６とスリット１０７７，１０８７とによって、Ｕ字状の該洗浄具１０１が、中央の屈曲部１０１１において、上記のように２つのＪ字状の洗浄具１０５，１０６に分離して使用可能となる。
【先行技術文献】
【特許文献】
【０００９】
【特許文献１】登録実用新案第３０９８０３４号公報
【発明の概要】
【発明が解決しようとする課題】
【００１０】
上述のような洗浄具１０１は、台所や厨房に、スポンジやブラシが多数あることは好ましくなく、その観点から、Ｕ字とＪ字とを、１本で使い分けできることは好ましい。また、この洗浄具１０１は、ピンなど、別の部品を付属したり、特別な工具を必要とせず、２つの部品（洗浄具１０５，１０６）だけで、そのまま着脱が可能で、利便性も高い。
【００１１】
しかしながら、上述の洗浄具１０１では、円柱状のボス１０７６，１０８６と、Ｕ字のスリット１０７７，１０８７とによって、２つの洗浄具１０５，１０６を大きく開かないと（１８０°近く）、分離できないという問題がある。つまり、安易な分離を防止するために、スリット１０７７，１０８７が深く、その中心線Ｌ１も、Ｕ字の頂点における接線Ｌ２に対する角度θが、小さい角度となっている。そのため、ボス１０７６，１０８６をスリット１０７７，１０８７から引出す作業が煩雑で、２つの洗浄具１０５，１０６を両方の手で把持しての作業になる。
【００１２】
したがって、実際は、前記ジョッキの内底を洗うために、都度、着け外しを行うことは困難である。また、多数の皿や椀を片方の洗浄具、たとえば洗浄具１０５で洗っていて、グラスを数個洗うような場合に、もう片方の洗浄具１０６を組付けて、内外両面の汚れ落しを同時に行って時間短縮するより、組付ける作業を行わずに、そのまま片方の洗浄具１０５だけで洗った方が、結果的に時間が早くなるような場合がある。さらにまた、洗浄具１０５，１０６の付け外しの際に、それまでグラスやジョッキを持っていた手でも、把手部材１０７，１０８を把持することになり、Ｕ字で使用すると、結局、両手に洗剤が着いてしまうことになる。
【００１３】
本発明の目的は、大略Ｕ字状に形成される洗浄具で、中央の屈曲部で２つのＪ字状の部分に分離できるものにおいて、その２つの部分の付け外しの操作性を向上することができる洗浄具を提供することである。
【課題を解決するための手段】
【００１４】
本発明の洗浄具は、略Ｕ字状に形成される把手の両端に、汚れ落しを行う一対の洗浄部材がそれぞれ取付けられ、有底筒状の容器に、その開口部から少なくとも一方の洗浄部材が挿入されることで該容器の内壁面から底面の洗浄を可能とし、または一対の洗浄部材で容器の筒部を内外両面から挟み込んで、同時に洗浄可能とするようにした洗浄具において、前記把手は、Ｕ字の基端部側で分割可能な相互に等しい形状の一対の把手部材から構成されており、各把手部材は、帯状体によって、前記帯の厚み方向から見て、略Ｊ字状に形成されて成り、前記Ｊ字の直線部の延長に前記洗浄部材が取付けられ、前記Ｕ字を分断したＪ字の屈曲部の先端部が、他方の把手部材と突き合わせられて、該先端部付近を中心として一対のＪ字の把手部材が相互に開閉可能となる基体部と、前記基体部の内周面において、帯の幅方向の中心線の一方側で、前記Ｊ字の直線部から屈曲部の先端を超えて、他方の把手部材側に延設されるリブと、前記リブにおいて、前記Ｊ字の屈曲部から突出した部分で、該屈曲部の先端部の近傍に、外周側から半円弧状に切欠かれて形成される切欠きと、前記基体部におけるＪ字の屈曲部の内周面において、前記屈曲部の先端部の近傍で、前記切り欠きに対応した位置に設けられる半円弧状の突起と、前記基体部の内周面において、前記中心線の他方側で、前記リブから、該リブの厚みだけ隔てて配置され、把手部材同士を前記Ｕ字に組合わせた状態で、他方の把手部材側のリブを挟み込む第１の係止突起とを含むことを特徴とする。
【００１５】
上記の構成によれば、略Ｕ字状に形成される把手の両端に、汚れ落しを行う一対の洗浄部材がそれぞれ取付けられ、ジョッキやマグカップなどの有底筒状の容器に、その開口部から少なくとも一方の洗浄部材が挿入されることで該容器の内壁面から底面の洗浄を可能とし、または一対の洗浄部材で容器の筒部を内外両面から挟み込んで、同時に洗浄可能とするようにした洗浄具において、前記把手をＵ字の基端部側で分割、すなわち一対の略Ｊ字状の洗浄具に分割して、その片側の洗浄具だけでも洗浄を行えるようにするにあたって、その分割および結合を容易に行えるようにする。
【００１６】
具体的に、把手は、前記一対のＪ字の把手部材が組合わせられて前記略Ｕ字状に形成される。その把手部材は、帯状体が、前記帯の厚み方向から見て、前記略Ｊ字状に形成されて成る基体部を備え、前記Ｊ字の直線部の延長に前記洗浄部材が取付けられる。一方、Ｊ字の屈曲部の先端部が、他方の把手部材の屈曲部の先端部と突き合わせられて、該先端部付近を中心として、一対のＪ字の把手部材が相互に開閉可能となる。
【００１７】
前記基体部は、その内周面に、リブが形成されて補強されている。そのリブは、帯の幅方向の中心線の一方側で、前記Ｊ字の直線部から屈曲部の先端部を超えて、他方の把手部材側に延設される。したがって、一対の把手部材を組合わせると、互いのリブが前記中心線を挟んで重なり合うことになる。
【００１８】
そして、リブにおいて、前記Ｊ字の屈曲部から他方の把手部材側に突出した部分で、該屈曲部の先端部の近傍に、外周側（外側）から半円弧状に切欠かれた切欠きが形成されている。これに対して、前記基体部におけるＪ字の屈曲部の内周面（内側）において、前記屈曲部の先端部の近傍で、前記切り欠きに対応した位置には、半円弧状の突起が設けられる。さらに、前記基体部の内周面において、前記中心線の他方側で、前記リブから、該リブの厚みだけ隔てた位置に、第１の係止突起が形成される。
【００１９】
したがって、たとえば一対の把手部材がＵ字に組み合わさっている状態から、前記Ｊ字の屈曲部の先端部を中心として僅かに開くことで、該先端部に近い位置に設けられている突起が、同様に先端部に近い位置に設けられている半円弧の切欠きから簡単に外れ、２つのＪ字状の洗浄具として、個別に使用することができる。
【００２０】
これに対して、２つのＪ字状の洗浄具を、その先端部同士を突き合わせ、角度を閉じてゆくと、突起が半円弧の切欠きに嵌り込んで、一方の把手部材は他方の把手部材に枢支され、Ｕ字状に完全に閉じられると、リブと第１の係止突起とによって、他方の把手部材側のリブを挟み込み、前記突起が切欠きから脱落しなくなり、またリブの外周は基体部の内周面に密着し、２つのＪ字状の洗浄具は１つのＵ字状の洗浄具に一体化することができる。
【００２１】
したがって、２つのＪ字状の洗浄具の先端部近くに設けた半円弧状の切欠きおよび突起によって、Ｕ字状の洗浄具を僅かに開くだけで２つのＪ字状の洗浄具に分割することができ、２つのＪ字状の洗浄具の先端部を合わせて、僅かに閉じるだけで１つのＵ字状の洗浄具に組上げることができる。これによって、手先の不器用でない使用者であれば、片手で付け外しを行うことができ、前記ジョッキやマグカップなどの洗浄中の容器を持った洗剤の付いた該洗浄具を把持する手とは反対側の手を用いて付け外しを行う必要は無く、操作性（利便性）を向上することができる。また、２つのＪ字状の把手部材は相互に等しい形状であるので、１つの金型で作成することができ、低コスト化を図ることができる。
【００２２】
また、本発明の洗浄具では、前記リブは環状に形成されることを特徴とする。
【００２３】
上記の構成によれば、片方のＪ字状の洗浄具を把持する場合に、把持し易くなるとともに、Ｕ字状に組立てた状態では、この環状のリブが他方の把手部材の側へ迫り出し、基体部の内周面に当接するので、Ｕ字の外側から大きな力で握られても、直線部分が変形し難くなる。
【００２４】
さらにまた、本発明の洗浄具では、前記第１の係止突起は、前記Ｊ字の直線部と屈曲部との少なくとも２箇所設けられることを特徴とする。
【００２５】
上記の構成によれば、環状のリブが他方の把手部材の側へ迫り出して基体部の内周面に当接するので、Ｊ字の直線部と屈曲部との少なくとも２箇所に前記第１の係止突起を設けておくことで、２つのＪ字状の洗浄具を開かない限り、それらはＵ字の状態から開かず、すなわち外れ難くすることができる。
【００２６】
また、本発明の洗浄具では、前記環状のリブにおいて、他方の把手部材に対向する中心線側の面には、相互に嵌り合うことで前記一対の把手部材の拡開を防止する第２の係止突起と係止凹所との対が設けられていることを特徴とする。
【００２７】
上記の構成によれば、２つのＪ字状の洗浄具をＵ字状に組立てると、環状のリブは相互に積層状態となる。そこで、その対向面に、第２の係止突起と対応する係止凹所を設ける。
【００２８】
したがって、それらの第２の係止突起と係止凹所とが相互に嵌り合うことで、前記一対の把手部材の拡開を防止、すなわち一層外れなくすることができる。
【００２９】
さらにまた、本発明の洗浄具では、前記リブにおいて、前記中心線の一方側から該リブ上に前記第１の係止突起を投影した状態で、該第１の係止突起の陰になる部分には、対応する孔が形成されていることを特徴とする。
【００３０】
上記の構成によれば、上述のように、リブと第１の係止突起との間に、他方の把手部材のリブを挟み込むことになるが、リブにおいてこの第１の係止突起に対応した孔を開けておくことで、把手部材を成型する際、特別な型を用いずに、厚み方向に容易に型抜きを行うことができる。
【００３１】
また、本発明の洗浄具では、前記Ｕ字状の把手の両端に貼付けられる洗浄部材は、前記Ｕ字の内側と外側とで、相互に密度の違うスポンジであることを特徴とする。
【００３２】
上記の構成によれば、特に２つのＪ字状の洗浄具に分離して使用する場合に、汚れの状況などに応じて、Ｊ字の外側のスポンジを使用するか、内側のスポンジを使用するかを選択することができる。
【００３３】
さらにまた、本発明の洗浄具では、前記把手の両端には、クッション部材としての密度の低いスポンジが貼付けられ、その上に、前記汚れ落しを行う密度の高いスポンジが貼付けられていることを特徴とする。
【００３４】
上記の構成によれば、汚れ落しを行うスポンジを、前記容器の内周面や外周面に密着させ易くなり、汚れ落し効果を高めることができる。
【発明の効果】
【００３５】
本発明の洗浄具は、以上のように、略Ｕ字状に形成される把手の両端に、汚れ落しを行う一対の洗浄部材がそれぞれ取付けられ、ジョッキやマグカップなどの有底筒状の容器の内壁面から底面の洗浄を可能とし、または容器の筒部を内外両面から挟み込んで、同時に洗浄可能とするようにした洗浄具において、前記把手をＵ字の基端部側で分割、すなわち一対の略Ｊ字状の洗浄具に分割して、その片側の洗浄具だけでも洗浄を行えるようにするにあたって、その分割構造として、把手は一対のＪ字の把手部材を組合わせて前記略Ｕ字状とし、その把手部材は、帯状体を前記略Ｊ字状に形成した基体部を備え、そのＪ字の直線部の延長に前記洗浄部材が取付ける一方、Ｊ字の屈曲部の先端部を他方の把手部材の屈曲部の先端部と突き合わせることで相互に開閉可能とする。
【００３６】
そして、前記基体部の内周面にリブを形成し、そのリブを帯の幅方向の中心線の一方側で前記Ｊ字の直線部から屈曲部の先端部を超えて他方の把手部材側に延設し、そのリブにおいてＪ字の屈曲部から他方の把手部材側に突出した部分で該屈曲部の先端部の近傍に、外周側（外側）から半円弧状に切欠きを形成し、基体部におけるＪ字の屈曲部の内周面（内側）には、屈曲部の先端部の近傍で、前記切り欠きに対応した位置に半円弧状の突起を設け、さらに基体部の内周面において、前記中心線の他方側で、前記リブから、該リブの厚みだけ隔てた位置に、第１の係止突起を形成する。
【００３７】
それゆえ、組み合わさっている状態から僅かに開くことで、先端部に近い位置に設けられている突起が、同様に先端部に近い位置に設けられている半円弧の切欠きから簡単に外れ、２つのＪ字状の洗浄具として個別に使用することができる一方、２つのＪ字状の洗浄具を、その先端部同士を突き合わせ、角度を閉じてゆくと、突起が半円弧の切欠きに嵌り込み、完全に閉じると、リブと第１の係止突起とによって、他方の把手部材側のリブを挟み込み、２つのＪ字状の洗浄具を１つのＵ字状の洗浄具に一体化することができる。これによって、２つのＪ字状の洗浄具を僅かに開くだけで分割し、僅かに閉じるだけで組上げることができ、操作性（利便性）を向上することができる。また、２つのＪ字状の把手部材は相互に等しい形状であるので、１つの金型で作成することができ、低コスト化を図ることができる。
【図面の簡単な説明】
【００３８】
【図１】本発明の実施の一形態に係るＵ字状の洗浄具の斜視図である。
【図２】前記Ｕ字状の洗浄具を構成する一対のＪ字状の洗浄具を完全に組付けた状態での把手の手元付近を拡大して示す斜視図である。
【図３】前記Ｕ字状の洗浄具を構成する一対のＪ字状の洗浄具を僅かに開いた状態での把手の手元付近を拡大して示す斜視図である。
【図４】前記一対の洗浄具を完全に分離して、洗浄部材を取付ける前の把手部材のみを示す斜視図である。
【図５】一方の把手部材の手元付近を拡大して示す斜視図である。
【図６】前記把手部材の六面図である。
【図７】典型的な従来技術の洗浄具の全体斜視図である。
【図８】図７の洗浄具における分割を可能にする構造を拡大して示す分解斜視図である。
【図９】図７の洗浄具における分割を可能にする構造を拡大して示す分解斜視図である。
【発明を実施するための形態】
【００３９】
図１は、本発明の実施の一形態に係る洗浄具１の斜視図である。この洗浄具１は、略Ｕ字状に形成される把手２の両端に、汚れ落しを行う一対の洗浄部材３，４がそれぞれ取付けられて構成される。そして、この洗浄具１は、ジョッキやマグカップなどの有底筒状の容器に、その開口部から少なくとも一方の洗浄部材３または４が挿入されることで該容器の内壁面から内底面の洗浄を可能とし、または一対の洗浄部材３，４で容器の筒部を内外両面から挟み込んで、同時に洗浄可能とするものである。また、この洗浄具１は、図７〜図９で示す従来技術と同様に、把手２をＵ字の基端部側で分割、すなわち一対の略Ｊ字状の洗浄具５，６に分割して、その片側の洗浄具５，６だけでも洗浄を行えるようになっている。
【００４０】
しかしながら、本実施形態の洗浄具１で注目すべきは、その分割および結合を容易に行えるようになっていることである。その分割および結合構造を説明するために、図２および図３は把手２の手元付近を拡大して示す斜視図であり、図２は２つの洗浄具５，６を完全に組付けた状態を示し、図３は分割しつつある状態を示す。先ず把手２は、一対の略Ｊ字状の把手部材７，８が組合わせられて、前記の略Ｕ字状に形成される。
【００４１】
図４は、洗浄部材３，４を除き（貼付ける前の）、把手部材７，８のみを完全に分割して示す斜視図であり、図５は一方の把手部材８の手元付近を拡大して示す斜視図であり、図６は把手部材８の六面図である。把手部材７，８は、帯状体から成り、さらにその帯の厚み方向から見て、前記略Ｊ字状に形成されて成る基体部７１，８１を備え、前記Ｊ字の直線部７１１，８１１の延長部７１２，８１２に洗浄部材３，４が取付けられる。
【００４２】
図４および図６の例では、延長部７１２，８１２は、帯状体の両表面にリブ７１３，８１３が形成されて補強されている。この延長部７１２，８１２は、洗浄部材３，４から飛出さず、また洗浄部材３，４を強固に貼付けられる形状であればよく、たとえば強度が確保できるのであれば、円柱や角柱のロッドの両側部から（前記帯の幅方向に延びる）櫛の歯状に洗浄部材３，４を受ける部材が延びて形成されてもよく、或いは長方形の枠内に網が貼付けられるなどして形成されてもよい。ただ、後述のように、この把手部材７，８は、帯の幅方向に型抜きされることが好ましいので、この図４および図６のようなリブ立てや、櫛歯状に形成されることが好ましい。
【００４３】
これに対して、把手部材７，８におけるＪ字の屈曲部７１４，８１４の先端部７１５，８１５は、他方の把手部材８，７の屈曲部８１４，７１４の先端部８１５，７１５と突き合わせられて、該先端部７１５，８１５付近を中心として、一対のＪ字の把手部材７，８が、たとえば図２から図３で示すように、相互に開閉可能となる。
【００４４】
そして、基体部７１，８１は、その内周面に、リブ７１６，８１６が形成されて補強されている。そのリブ７１６，８１６は、図６で示すように、帯の幅方向の中心線Ｖの一方側で、Ｊ字の直線部７１１，８１１から屈曲部７１４，８１４の先端部７１５，８１５を超えて、他方の把手部材８，７側に延設される。したがって、一対の把手部材７，８を組合わせると、図１〜図３で示すように、互いのリブ７１６，８１６が中心線Ｖを挟んで重なり合うことになる。
【００４５】
さらに、リブ７１６，８１６において、Ｊ字の屈曲部７１４，８１４から他方の把手部材８，７側に突出した部分７１６１，８１６１で、該屈曲部７１４，８１４の先端部７１５，８１５の近傍に、外周側（外側）から半円弧状に切欠かれた切欠き７１６２，８１６２が形成されている。これに対して、基体部７１，８１におけるＪ字の屈曲部７１４，８１４の内周面（内側）において、屈曲部７１４，８１４の先端部７１５，８１５の近傍で、切り欠き７１６２，８１６２に対応した位置には、半円弧状の突起７１７，８１７が設けられている。さらにまた、基体部７１，８１の内周面において、中心線Ｖの他方側で、リブ７１６，８１６から、該リブ７１６，８１６の厚みＨだけ隔てた位置に、第１の係止突起７１８，８１８が形成される。
【００４６】
したがって、たとえば図１や図２で示すように一対の把手部材７，８がＵ字に組み合わさっている状態から、図３で示すように、Ｊ字の屈曲部７１４，８１４の先端部７１５，８１５を中心として僅かに開くことで、該先端部７１５，８１５に近い位置に設けられている突起７１７，８１７が、同様に先端部８１５，７１５に近い位置に設けられている半円弧の切欠き８１６２，７１６２から簡単に外れ、図４で示すように、２つのＪ字状の洗浄具５，６として、個別に使用することができるようになる。
【００４７】
これに対して、２つのＪ字状の洗浄具５，６を、図３で示すようにその先端部７１５，８１５同士を突き合わせ、図１や図２で示すように角度を閉じてゆくと、突起７１７，８１７が半円弧の切欠き８１６２，７１６２に嵌り込んで、一方の把手部材７，８は他方の把手部材８，７に枢支され、Ｕ字状に完全に閉じられると、リブ７１６，８１６と第１の係止突起７１８，８１８とによって、他方の把手部材８，７側のリブ８１６，７１６を挟み込み、これによって突起８１７，７１７が切欠き７１６２，８１６２から脱落しなくなり、またリブ７１６，８１６の外周は基体部８１，７１の内周面に密着し、２つのＪ字状の洗浄具５，６は１つのＵ字状の洗浄具１に一体化することができる。
【００４８】
したがって、２つのＪ字状の洗浄具５，６の先端部７１５，８１５近くに設けた半円弧状の切欠き７１６２，８１６２および突起８１７，７１７によって、Ｕ字状の洗浄具１を僅かに開くだけで２つのＪ字状の洗浄具５，６に分割することができ、２つのＪ字状の洗浄具５，６の先端部７１５，８１５を突き合わせて、僅かに閉じるだけで１つのＵ字状の洗浄具１に組上げることができる。これによって、手先の不器用でない使用者であれば、片手で付け外しを行うことができ、ジョッキやマグカップなどの洗浄中の容器を持った洗剤の付いた該洗浄具１を把持する手とは反対側の手を用いて付け外しを行う必要は無く、操作性（利便性）を向上することができる。また、２つのＪ字状の把手部材７，８は相互に等しい形状であるので、１つの金型で作成することができ、低コスト化を図ることができる。
【００４９】
さらに、本実施形態の洗浄具１では、リブ７１６，８１６は、環状に形成されている。したがって、片方のＪ字状の洗浄具５，６を把持する場合に、把持し易くなるとともに、Ｕ字状に組立てた状態では、この環状のリブ７１６，８１６が他方の把手部材８，７の側へ迫り出し、基体部８１，７１の内周面に当接するので、Ｕ字の外側から大きな力で握られても、７１１，８１１が変形し難くなる。
【００５０】
また、本実施形態の洗浄具１では、環状のリブ７１６，８１６が他方の把手部材８，７の側へ迫り出して基体部８１，７１の内周面に当接するので、Ｊ字の直線部７１１、８１１と屈曲部７１４，８１４との２箇所に第１の係止突起７１８，８１８を設けている。これによって、２つのＪ字状の洗浄具５，６を開かない限り、それらはＵ字の状態から開かず、すなわち外れ難くすることができる。
【００５１】
また、本実施形態の洗浄具１では、上述のように、２つのＪ字状の洗浄具５，６をＵ字状に組立てると、環状のリブ７１６，８１６は相互に積層状態となることから、そのリブ７１６，８１６において、他方の把手部材８，７に対向する中心線Ｖ側の面には、相互に嵌り合うことで一対の把手部材７，８の拡開を防止する第２の係止突起７１９１，８１９１と係止凹所７１９２，８１９２との対が設けられている。したがって、それらの第２の係止突起７１９１，８１９１と係止凹所７１９２，８１９２とが相互に嵌り合うことで、一対の把手部材７，８の拡開を防止、すなわち一層外れなくすることができる。
【００５２】
さらにまた、本実施形態の洗浄具１では、上述のように、リブ７１６，８１６と第１の係止突起７１８，８１８との間に、他方の把手部材８，７のリブ８１６，７１６を挟み込むことになるのに着目して、リブ７１６，８１６において、中心線Ｖの一方側から該リブ７１６，８１６上に第１の係止突起７１８，８１８を投影した状態で、該第１の係止突起７１８，８１８の陰になる部分に、対応する孔７２０，８２０が形成されている。したがって、把手部材７，８を成型する際、特別な型を用いずに、容易に、前述のように厚み方向に型抜きを行うことができる。
【００５３】
また、本実施形態の洗浄具１では、先ず、把手２の両端には、クッション部材としての密度の低いスポンジ３１，４１が貼付けられ、その上に、汚れ落しを行う密度の高いスポンジ３２，３３；４２，４３が貼付けられている。そのため、汚れ落しを行うスポンジ３２，３３；４２，４３を、容器の内周面や外周面に密着させ易くなり、汚れ落し効果を高めることができる。
【００５４】
さらに、Ｕ字状の把手２の両端に貼付けられる洗浄部材３，４には、Ｕ字の内側と外側とで、相互に密度の違うスポンジ３２，３３；４２，４３が使用されているので、特に２つのＪ字状の洗浄具５，６に分離して使用する場合に、汚れの状況などに応じて、Ｊ字の外側のスポンジ３３，４３を使用するか、内側のスポンジ３２，４２を使用するかを選択することができる。
【符号の説明】
【００５５】
１    （Ｕ字状の）洗浄具
２    把手
３，４    洗浄部材
３１，４１    密度の低いスポンジ
３２，３３；４２，４３    密度の高いスポンジ
５，６    （Ｊ字状の）洗浄具
７，８    把手部材
７１，８１    基体部
７１１，８１１    直線部
７１２，８１２    延長部
７１３，８１３    リブ
７１４，８１４    屈曲部
７１５，８１５    先端部
７１６，８１６    リブ
７１６２，８１６２    切欠き
７１７，８１７    突起
７１８，８１８    第１の係止突起
７１９１，８１９１    第２の係止突起
７１９２，８１９２    係止凹所
７２０，８２０    孔
【図１】
0006417222.tif 000002
【図２】
0006417222.tif 000003
【図３】
0006417222.tif 000004
【図４】
0006417222.tif 000005
【図５】
0006417222.tif 000006
【図６】
0006417222.tif 000007
【図７】
0006417222.tif 000008
【図８】
0006417222.tif 000009
【図９】
0006417222.tif 000010